(57)【要約】      （修正有）【課題】ドレンパンをよりきれいに清掃することができるドレンパン清掃装置を提供する。【解決手段】ドレンパン１に溜められたドレン水をくみ上げるポンプ２と、ポンプ２によってくみ上げられたドレン水が溜められる第１タンク４と、第１タンク４に溜められたドレン水の中の上澄みドレン水が流入して溜められる第２タンク５と、第２タンク５に溜められた上澄みドレン水の量が予め設定された量に達することを検出するフロート１０と、第１タンク４に溜められたドレン水に含まれる異物を断裁する断裁装置１１とを備え、第２タンク５に溜められた上澄みドレン水は、ドレンパン１に供給される。【選択図】図１
2019190788.tif 000002
【特許請求の範囲】
【請求項１】
ドレンパンに溜められたドレン水をくみ上げるポンプと、
前記ポンプによってくみ上げられた前記ドレン水が溜められる第１タンクと、
前記第１タンクに溜められた前記ドレン水の中の上澄み部分である上澄みドレン水が流入して溜められる第２タンクと
を備え、
前記第２タンクに溜められた前記上澄みドレン水は、前記ドレンパンに供給されるドレンパン清掃装置。
【請求項２】
前記第２タンクに溜められた前記上澄みドレン水の量が予め設定された量に達することを検出する上澄みドレン水検出装置と、
前記第１タンクに溜められた前記ドレン水に含まれる異物を断裁する断裁装置と
を備え、
前記断裁装置は、前記第２タンクに溜められた前記上澄みドレン水の量が予め設定された量に達することを前記上澄みドレン水検出装置が検出した場合に、前記ドレン水に含まれる異物を断裁する請求項１に記載のドレンパン清掃装置。
【請求項３】
前記第１タンクに溜められた前記ドレン水が外部に排出される排出用流路を開閉する排出用開閉装置をさらに備え、
前記排出用開閉装置は、前記ドレン水に含まれる前記異物を前記断裁装置が断裁した場合に、前記排出用流路を開く請求項２に記載のドレンパン清掃装置。
【請求項４】
前記第２タンクから前記ドレンパンに供給される前記上澄みドレン水が流れる供給用流路を開閉する供給用開閉装置をさらに備え、
前記供給用開閉装置は、空気調和機がサーモオフの場合または前記空気調和機が冷房運転を停止する場合に、前記供給用流路を開く請求項１から請求項３までの何れか一項に記載のドレンパン清掃装置。
【請求項５】
ドレンパンに溜められたドレン水をくみ上げるポンプと、前記ポンプによってくみ上げられた前記ドレン水が溜められる第１タンクと、前記第１タンクに溜められた前記ドレン水の中の上澄み部分である上澄みドレン水が流入して溜められる第２タンクとを備えたドレンパン清掃装置を用いて前記ドレンパンを清掃するドレンパン清掃方法であって、
前記ドレンパンに溜められた前記ドレン水が前記ポンプによって前記第１タンクに溜められ、前記第１タンクの前記上澄みドレン水が前記第２タンクに溜められる上澄みドレン水貯留工程と、
前記上澄みドレン水貯留工程の後、前記第２タンクに溜められた前記上澄みドレン水が前記ドレンパンに供給されるドレンパン清掃工程と
を備えているドレンパン清掃方法。
【発明の詳細な説明】
【技術分野】
【０００１】
この発明は、ドレンパンを清掃するドレンパン清掃装置およびドレンパン清掃方法に関する。
【背景技術】
【０００２】
従来、ドレンパンに溜められたドレン水をくみ上げるポンプと、ポンプによってくみ上げられたドレン水をドレンパンに供給する散水管と、ポンプによってくみ上げられたドレン水を外部に排出する排出管とを備えたドレンパン清掃装置が知られている。ドレンパンを清掃する場合には、ポンプによってくみ上げられたドレン水が散水管を通ってドレンパンに供給される。ドレン水を外部に排出する場合には、ポンプによってくみ上げられたドレン水が排出管を通って外部に排出される。（例えば、特許文献１参照）。
【先行技術文献】
【特許文献】
【０００３】
【特許文献１】登録実用新案第３０６０７３８号公報
【発明の概要】
【発明が解決しようとする課題】
【０００４】
しかしながら、ドレンパンを清掃する場合には、ドレンパンからくみ上げられたドレン水がそのまま散水管を通ってドレンパンに供給される。したがって、ドレンパンからくみ上げられたドレン水に異物が含まれている場合に、その異物が再びドレンパンに供給されてしまう。その結果、ドレンパンに異物が残ってしまうという問題点があった。
【０００５】
この発明は、上述のような課題を解決するためになされたものであり、その目的は、ドレンパンをよりきれいに清掃することができるドレンパン清掃装置およびドレンパン清掃方法を提供するものである。
【課題を解決するための手段】
【０００６】
この発明に係るドレンパン清掃装置は、ドレンパンに溜められたドレン水をくみ上げるポンプと、ポンプによってくみ上げられたドレン水が溜められる第１タンクと、第１タンクに溜められたドレン水の中の上澄み部分である上澄みドレン水が流入して溜められる第２タンクとを備え、第２タンクに溜められた上澄みドレン水は、ドレンパンに供給される。
【発明の効果】
【０００７】
この発明に係るドレンパン清掃装置によれば、ドレンパンに溜められたドレン水よりもきれいな上澄みドレン水がドレンパンに供給される。これにより、ドレンパンに溜められたドレン水よりもきれいな上澄みドレン水を用いてドレンパンを清掃することができる。その結果、ドレンパンをよりきれいに清掃することができる。
【図面の簡単な説明】
【０００８】
【図１】この発明の実施の形態１に係るドレンパン清掃装置を示す構成図である。
【図２】図１のドレンパン清掃装置を示すブロック図である。
【図３】図１のドレンパン清掃装置の動作を示すフローチャートである。
【発明を実施するための形態】
【０００９】
実施の形態１．
図１は、この発明の実施の形態１に係るドレンパン清掃装置を示す構成図、図２は、図１のドレンパン清掃装置を示すブロック図である。ドレンパン清掃装置は、空気調和機のドレンパン１を清掃する。空気調和機が冷房運転またはドライ運転を行う場合に、ドレンパン１には、熱交換器に発生するドレン水が溜められる。ドレンパン１に溜められるドレン水には、埃などの異物が含まれる。
【００１０】
ドレンパン清掃装置は、ドレンパン１に溜められたドレン水をくみ上げるポンプ２と、ポンプ２によってくみ上げられたドレン水が通る第１配管３と、第１配管３を通ったドレン水が溜められる第１タンク４とを備えている。
【００１１】
また、ドレンパン清掃装置は、第１タンク４に溜められたドレン水の中の上澄み部分である上澄みドレン水が流入して、流入した上澄みドレン水が溜められる第２タンク５と、第２タンク５に溜められた上澄みドレン水が通る第２配管６とを備えている。
【００１２】
また、ドレンパン清掃装置は、第１タンク４に溜められたドレン水が通る第３配管７と、第２配管６に設けられた供給用開閉装置である電磁弁８と、第３配管７に設けられた排出用開閉装置である電磁弁９とを備えている。
【００１３】
また、ドレンパン清掃装置は、第２タンク５に溜められた上澄みドレン水の量が予め設定された量に達することを検出する上澄みドレン水検出装置であるフロート１０と、第１タンク４に溜められたドレン水に含まれる異物を断裁する断裁装置１１とを備えている。
【００１４】
また、ドレンパン清掃装置は、清掃用制御装置１２を備えている。清掃用制御装置１２は、図示しない空気調和機の制御装置との間で通信を行う。空気調和機の制御装置から清掃用制御装置１２には、空気調和機が冷房運転を開始することを示す情報および空気調和機がドライ運転を開始することを示す情報が入力される。また、空気調和機の制御装置から清掃用制御装置１２には、空気調和機のサーモオフの情報および空気調和機が運転を停止することを示す情報が入力される。
【００１５】
ポンプ２は、ドレンパン１の内側に配置されている。第１配管３は、ポンプ２と第１タンク４とに渡って配置されている。第１タンク４は、ドレンパン１よりも上方に配置されている。第１配管３の一端部は、ポンプ２に接続されている。第１配管３の他端部は、第１タンク４の上部に接続されている。ポンプ２によってくみ上げられたドレン水は、第１タンク４の上部に供給される。
【００１６】
第２タンク５は、ドレンパン１よりも上方に配置されている。第２配管６は、ドレンパン１と第２タンク５とに渡って配置されている。第２配管６の一端部は、第２配管６に接続されている。第２配管６の他端部は、ドレンパン１の内側に配置されている。第２配管６には、第２タンク５からドレンパン１に供給される上澄みドレン水が流れる供給用流路が形成されている。第２タンク５に溜められた上澄みドレン水は、上澄みドレン水の自重によって、供給用流路を流れて、ドレンパン１に供給される。第２タンク５から上澄みドレン水が供給されるドレンパン１の部分は、ドレンパン１の中で高さ方向について最も高い位置に配置された部分である。ドレンパン１に供給された上澄みドレン水は、ドレンパン１の全体に供給される。
【００１７】
第１タンク４と第２タンク５との間には、第１タンク４に溜められたドレン水の異物が第２タンク５に流れることを抑制するために、フィルタ、波消し板などが設けられてもよい。
【００１８】
第３配管７の一端部は、第１タンク４の下部に接続されている。図示していないが、第３配管７の他端部は、ドレン水が排出される外部まで延びている。第３配管７には、第１タンク４に溜められたドレン水が外部に排出される排出用流路が形成されている。
【００１９】
電磁弁８は、第２配管６の供給用流路を開閉する。第２配管６の供給用流路が開くことによって、第２タンク５に溜められた上澄みドレン水が、第２タンクからドレンパン１に供給される。
【００２０】
電磁弁９は、第３配管７の排出用流路を開閉する。第３配管７の排出用流路が開くことによって、第１タンク４に溜められたドレン水が、第１タンク４から外部に排出される。
【００２１】
清掃用制御装置１２は、ポンプ２、電磁弁８、電磁弁９、フロート１０および断裁装置１１に対して電気的に接続されている。清掃用制御装置１２は、ポンプ２、電磁弁８、電磁弁９および断裁装置１１のそれぞれの駆動を制御する。フロート１０の検出信号は、清掃用制御装置１２に入力されるようになっている。なお、ポンプ２が空気調和機の制御装置によって制御されてもよい。この場合、ポンプ２は、清掃用制御装置１２に対して電気的に接続されない。また、この場合、清掃用制御装置１２は、ポンプ２の駆動を制御しない。空気調和機の制御装置は、空気調和機が冷房運転を行う場合、または、空気調和機がドライ運転を行う場合に、ポンプ２を駆動させる。
【００２２】
次に、ドレンパン清掃装置を用いてドレンパン１を清掃するドレンパン清掃方法について説明する。図３は、図１のドレンパン清掃装置の動作を示すフローチャートである。まず、ステップＳ１０１において、清掃用制御装置１２は、空気調和機が冷房運転を開始したか否かを判定する。ステップＳ１０１において、空気調和機が冷房運転を開始していないと判定された場合には、ステップＳ１０１が繰り返される。
【００２３】
一方、ステップＳ１０１において、空気調和機が冷房運転を開始したと判定された場合には、ステップＳ１０２において、清掃用制御装置１２は、ポンプ２を駆動させる。この場合に、清掃用制御装置１２は、電磁弁８によって第２配管６の供給用流路を閉じ、電磁弁９によって第３配管７の排出用流路を閉じる。これにより、ドレンパン１に溜められたドレン水がポンプ２によって第１タンク４に溜められ、第１タンク４の溜められたドレン水の中の上澄みドレン水が第２タンク５に溜められる。上澄みドレン水貯留工程は、ステップＳ１０２に含まれる。
【００２４】
その後、ステップＳ１０３において、清掃用制御装置１２は、フロート１０の検出結果を用いて、第２タンク５が満杯であるか否かを判定する。ステップＳ１０３において、第２タンク５が満杯ではないと判定された場合には、ステップＳ１０３が繰り返される。
【００２５】
一方、ステップＳ１０３において、第２タンク５が満杯であると判定された場合には、ステップＳ１０４において、清掃用制御装置１２は、電磁弁９によって第３配管７の排出用流路を開け、さらに、断裁装置１１を駆動させる。これにより、第１タンク４に溜められたドレン水が第３配管７を通って外部に排出される。この場合に、断裁装置１１がドレン水に含まれる異物を断裁するので、第３配管７に異物が詰まることが抑制される。
【００２６】
その後、ステップＳ１０５において、清掃用制御装置１２は、空気調和機が冷房運転を停止したか否かを判定する。ステップＳ１０５において、空気調和機が冷房運転を停止していないと判定された場合には、ステップＳ１０５が繰り返される。
【００２７】
一方、ステップＳ１０５において、空気調和機が冷房運転を停止したと判定された場合には、ステップＳ１０６において、清掃用制御装置１２は、電磁弁８によって第２配管６の供給用流路を開く。これにより、第２タンク５に溜められた上澄みドレン水がドレンパン１に供給される。ドレンパン清掃工程は、ステップＳ１０６に含まれる。
【００２８】
ドレンパン１に供給された上澄みドレン水は、ドレンパン１を清掃し、その後、ポンプ２によってくみ上げられる。ポンプ２によってくみ上げられた上澄みドレン水は、第１タンク４に供給され、第３配管７を通って外部に排出される。第２タンク５の溜められた上澄みドレン水の全てが外部に排出された後に、ドレンパン１の清掃が終了する。
【００２９】
以上説明したように、この発明の実施の形態１に係るドレンパン清掃装置によれば、ドレンパン１に溜められたドレン水をくみ上げるポンプ２と、ポンプ２によってくみ上げられたドレン水が溜められる第１タンク４と、第１タンク４に溜められたドレン水の中の上澄みドレン水が流入して溜められる第２タンク５とを備え、第２タンク５に溜められた上澄みドレン水は、ドレンパン１に供給される。これにより、ドレンパン１に溜められたドレン水よりもきれいな上澄みドレン水を用いてドレンパン１を清掃することができる。その結果、ドレンパン１をよりきれいに清掃することができる。
【００３０】
また、ドレンパン清掃装置は、第２タンク５に溜められた上澄みドレン水の量が予め設定された量に達することを検出するフロート１０と、第１タンク４に溜められたドレン水に含まれる異物を断裁する断裁装置１１とを備え、断裁装置１１は、第２タンク５に溜められた上澄みドレン水の量が予め設定された量に達することをフロート１０が検出した場合に、ドレン水に含まれる異物を断裁する。これにより、異物の断裁によって撹拌された異物が第２タンク５に流入することを抑制することができる。
【００３１】
また、ドレンパン清掃装置は、第１タンク４に溜められたドレン水が外部に排出される排出用流路を開閉する電磁弁９を備え、電磁弁９は、ドレン水に含まれる異物を断裁装置１１が断裁した場合に、排出用流路を開く。これにより、第３配管７に異物が詰まることを抑制することができる。
【００３２】
また、ドレンパン清掃装置は、第２タンク５からドレンパン１に供給される上澄みドレン水が流れる供給用流路を開閉する電磁弁８を備え、電磁弁８は、空気調和機が冷房運転を停止する場合に、供給用流路を開く。これにより、空気調和機が冷房運転を停止した時から空気調和機が冷房運転を開始する時までの間、ドレンパン１が清掃された状態を維持することができる。
【００３３】
また、この発明の実施の形態１に係るドレンパン清掃方法によれば、ドレンパン１に溜められたドレン水がポンプ２によって第１タンク４に溜められ、第１タンク４の上澄みドレン水が第２タンク５に溜められる上澄みドレン水貯留工程と、上澄みドレン水貯留工程の後、第２タンク５に溜められた上澄みドレン水がドレンパン１に供給されるドレンパン清掃工程とを備えている。これにより、ドレンパン１に溜められたドレン水よりもきれいな上澄みドレン水を用いてドレンパン１を清掃することができる。その結果、ドレンパン１をよりきれいに清掃することができる。
【００３４】
なお、上記実施の形態１では、空気調和機が冷房運転を開始してからポンプ２が駆動して、ドレンパン１に溜められたドレン水をくみ上げる構成について説明した。これに限らず、空気調和機がドライ運転を開始してからポンプ２が駆動して、ドレンパン１に溜められたドレン水をくみ上げる構成であってもよい。
【００３５】
また、上記実施の形態１では、空気調和機が冷房運転を停止してから第２タンク５に溜められた上澄みドレン水がドレンパン１に供給される構成について説明した。これに限らず、空気調和機がサーモオフとなってから第２タンク５に溜められた上澄みドレン水がドレンパン１に供給される構成であってもよい。
【００３６】
また、上記実施の形態１では、第２タンク５の溜められた上澄みドレン水がそのままドレンパン１に供給される構成について説明した。これに限らず、第２タンク５に溜められた上澄みドレン水を加熱して殺菌する加熱装置、第２タンク５に溜められた上澄みドレン水に殺菌材を供給して殺菌する殺菌装置、または、第２タンク５に溜められた上澄みドレン水にマイクロバブルを供給するマイクロバブル発生装置を備えた構成であってもよい。
【００３７】
また、上記実施の形態１では、第２タンク５に上澄みドレン水のみが溜められる構成について説明した。これに限らず、第２タンク５に上澄みドレン水に加えて水道水がさらに溜められる構成であってもよい。
【符号の説明】
【００３８】
１  ドレンパン、２  ポンプ、３  第１配管、４  第１タンク、５  第２タンク、６  第２配管、７  第３配管、８  電磁弁、９  電磁弁、１０  フロート、１１  断裁装置、１２  清掃用制御装置。
【図１】
2019190788.tif 000003
【図２】
2019190788.tif 000004
【図３】
2019190788.tif 000005